(57)【要約】      （修正有）【課題】打ち放し練習場、又は狭い空間におけるゴルフクラブでスイングを行う練習具を提供する。【解決手段】基台の上方に人工芝を有するマット２を形成し、マット２上の中心付近にゴルフボールを置く定位置を表示し、定位置の両側には第一と第二の検知部を設け、第一と第二の検知部から離間したマット上に第一と第二の表示体６，７を設け、第一、第二検知部と第一、第二表示体間に誘導部材８ａを配し、誘導部材内にそれぞれ可動体９を設け、第一又は第二検知部へゴルフクラブが接触する圧力により可動体９ａ−２が作動することで、第一又は第二表示体６，７を表示させる。練習者が定位置上のゴルフボールをゴルフクラブショットし芯で捉えたか、又は手前のマット２に接触しダブったかの判別は、第一又は第二表示体６，７が作動して可能となる。バネ付きボール練習器もゴルフ練習器と同様の機能を備えている。【選択図】図６
2015208429.tif 000002
【特許請求の範囲】
【請求項１】
基台の上方に人工芝を有するマットを形成し、前記マット上の中心付近
にゴルフボールを置く定位置を表示し、前記定位置の両側には第一と第二の検知部を設け、前記第一と第二の検知部から離間したマット上に第一と第二の表示体を設け、前記第一、第二検知部と前記第一、第二表示体間に誘導部材を配し、前記誘導部材内にそれぞれ可動体を設け、前記第一又は第二検知部へゴルフクラブが接触する圧力により前記それぞれの可動体が作動することで、前記第一又は第二表示体を表示させることを特徴とするゴルフ練習器。
【請求項２】
誘導部材はパイプ状の構造体からなり、前記パイプ内の垂直方向に摺動可能な可動体として複数の棒状体を挿入、前記複数の棒状体を挟んだ前記パイプ内の水平方向に複数の球体を数珠つなぎにしたことを特徴とする請求項１記載のゴルフ練習器。
【請求項３】
誘導部材はパイプ状の構造体からなり、前記パイプ内の垂直方向に摺動可能な可動体として複数の棒状体をＯリングでシールして形成し挿入、前記パイプ内の水平方向に液体を充填したことを特徴とする請求項１記載のゴルフ練習器。
【請求項４】
誘導部材は垂直方向複数のパイプ状の構造体からなり、前記パイプ内に摺動可能な可動体として複数の棒状体を挿入、前記複数の棒状体間に設置されたシーソー部材である棒状体を含むことを特徴とする請求項１記載のゴルフ練習器。
【請求項５】
マット上にゴルフボールを接続したバネを設けたことを特徴とする請求項１記載のゴルフ練習器。
【発明の詳細な説明】
【技術分野】
【０００１】
この発明はゴルフ打ち放し練習場、又は狭い空間におけるゴルフクラブでスイングを行う練習具に関する。
【背景技術】
【０００２】
ゴルフの上達法は如何にクラブ１１でボール１２の芯１５を捉えるかである。しかし静止しているボール１２をショットするのは簡単なようで難しい。プロのゴルフプレーで、特にアイアンクラブ１１で天然芝１４上のボール１２をショットすると、図１５（イ）に示す如く
ボール１２と飛球方向先の芝１４ａを一緒に刈り取る、所謂ターフ１４ｂを取る場面をしばしば見る
【０００３】
前述のターフ１４ｂを取る打ち方をダウンブローのショットと言う。特にアイアンクラブ１１での前記ダウンブローの打ち方はスイング軌道の最下点に達する前にクラブ１１がボール１２を捉えるショットである。前記ダウングローのメリットはダブりとトップがなくなって方向性が良くなり、距離が出るので理想的な打ち方とされている。
【０００４】
一般のゴルフ練習場で見られる練習は、練習者が人工芝マット２上の
ボール１２をクラブ１１でシットすると飛球方向とおよその距離は把握できる。しかしながらクラブ１１がマット２上を接触する体感はできても、クラブ１１の軌道がマット２上を理想的に通過しているかの把握はできない。何故ならばマット２は大半が樹脂製のためクラブ１１が滑りやすくボール１２を図１５（イ）に示した如く芯１５で捉えたか、又は図１５（ウ）に示したが如く手前のマット２に接触してダブったかの判別ができない。従ってボール１２をショットした後マット２に接触した状態を把握することはできない。
【０００５】
住んでいる場所から打ち放し練習場が遠く離れており練習が出来難い環境のゴルフ愛好者は多くいると推測する。図１６に示す如く狭い空間での練習具として練習者がクラブ１１でマット２上の軸３０から水平に伸びた細い棒４０の先に接続したボール１２をショットすると左方向に回転して元に戻る
タイプと、紐５０の付いたボール１２をマット２上、又はティペッグ６０上に置き練習者がクラブ１１でショットした後、紐５０の付いたボール１２を手繰り寄せるタイプの二通りがある。しかしこの練習具は紐５０の付いたボール１２を手繰り寄せる不便さがある。この練習具もボール１２をヒットした後、マット２に接触した状態を把握することはできない。
【先行技術文献】
【特許文献】
【０００６】
【特許文献１】実用新案登録第３０９６７３７号この練習装置はダウンブローの成敗およびヘッドアップミスの有無を判別できるゴルフ練習装置である。前記ヘッドアップミスの有無を判別するため表示に音声を出すか、ランプを点灯するようになっている。しかしそれぞれの表示を判別するためには電力を必要とし、システム全体にシンプルさが欠けている。
【特許文献２】特開２００６−３２６２５３
【０００７】
この発明はダウンスイングの軌道を正確に習得するための練習用ゴルフマットである。仕組みはゴルフクラブがマット上に接触すると人工芝がめくれるようになっている。練習者がゴルフクラブでスイングをして人工芝に接触するとターフ部分がめくれるがゴルフボールをショットしての結果とは記されていない。
【発明の概要】
【発明が解決しようとする課題】
【０００８】
前述ように一般のゴルフ練習場で見られる練習は、練習者がゴルフクラブで人工芝マット上に置いたゴルフ
ボールをショットすると飛球方向とおよその距離は把握できる。しかしながら前記ゴルフクラブが前記マット上を接触する体感はできても、前記ゴルフクラブの軌道が前記マット上を理想的に通過しているかの把握はできない。何故ならば前記マットは大半が樹脂製のため前記ゴルフクラブが滑りやすく前記ゴルフボールの芯を捉えたか、又は手前の前記マットに接触してダブったかの判別ができない。本発明は図１５（イ）に示した如く前記ゴルフクラブが理想的に前記ゴルフボールをダウンブローで捉えたか、又は図１５の（ウ）に示した如く手前の前記マットに接触しダブッたかが判別できる電力等の動力を不要とした簡易な機構のゴルフ練習器を提供する。
【０００９】
図１６に示した如く狭い空間での練習具として練習者がクラブ１１で人工芝マット２上の軸３０から水平に伸びた細い棒４０の先に接続したボール１２をショットすると左方向に回転して元に戻る
タイプと、紐５０の付いたボール１２をマット２上、又はティペッグ６０上に置き練習者がクラブ１１でショットした後、紐５０の付いたボール１２を手繰り寄せるタイプの二通りがある。しかしこの練習具はクラブ１１で紐５０の付いたボール１２をショットした後、紐５０の付いたボール１２を手繰り寄せる手間を要する。本発明は図１５の（イ）に示した如くクラブ１１がボール１２を理想的にダウンブローで捉えたか、又は図１５の（ウ）に示した如く手前のマットに接触しダブッたかが判別できる機能を備えたゴルフ練習器を提供する。
【課題を解決するための手段】
【００１０】
本発明は基台の上方に人工芝を有するマットを形成し、このマット上の中心付近
にゴルフボールを置く定位置を表示し、この定位置の両側には第一と第二の検知部を設け、前記第一と第二の検知部から離間した前記マット上に第一と第二の表示体を設け、前記第一、第二検知部と前記第一、第二表示体間に誘導部材を配し、その誘導部材内にそれぞれの可動体を設け、前記第一又は第二検知部へゴルフクラブが接触する圧力により前記それぞれの可動体が作動することで、前記第一又は第二表示体を表示させるように構成したゴルフ練習器で解決をはかる。
【００１１】
本発明の誘導部材はパイプ状の構造体からなり、前記パイプ内の垂直方向に摺動可能な可動体として複数の棒状体を挿入、前記複数の棒状体を挟んだ前記パイプ内の水平方向に複数の球体を数珠つなぎにしたゴルフ練習器を提供する。
【００１２】
本発明の誘導部材はパイプ状の構造体からなり、前記パイプ内の垂直方向に摺動可能な可動体として複数の棒状体をＯリングでシールして形成し挿入、前記パイプ内の水平方向に液体を充填したゴルフ練習器を提供する。
【００１３】
本発明の誘導部材は垂直方向複数のパイプ状の構造体からなり、前記パイプ内に摺動可能な可動体として複数の棒状体を挿入、前記複数の棒状体間に設置されたシーソー部材としての棒状体を含むゴルフ練習器を提供する。
【００１４】
本発明のゴルフ練習器を用い練習者がゴルフクラブでマット上定位置のゴルフボールをショットすると、前記ゴルフクラブが前記ゴルフボールの芯を捉えたか、又は手前の前記マットに接触しダブったかの判別は、各検知部に前記ゴルフクラブが接触する圧力によって、第一又は第二表示体を前記マット上に押し上げ表示することで、前記ゴルフクラブが前記マット上を通過した軌道の把握が可能となる。
【００１５】
本発明のゴルフ練習器にゴルフボールを接続したバネをマット上に設けて狭い空間でのゴル練習器として構成した。練習者が前記バネ付ゴルフボール
を前記マット上に置きゴルフクラブでショットすると、バネの限界まで飛んだ前記バネ付ゴルフボールはバネの反発力で元の位置に戻ることで練習者が前記ゴルフボールを手繰り寄せる手間が不要となる。そして前記ゴルフ練習器同様前記マット上を通過する前記ゴルフクラブの軌道が把握でき狭い空間でのスイング練習が可能となる。
【発明の効果】
【００１６】
本発明のゴルフ練習器を用い練習者がゴルフクラブで定位置上のゴルフボールをショットし、前記ゴルフクラブがマット上の第一又は第二検知部に接触すると、例えば第一又は第二表示体として用いた表示板を前記マット上に押し上げ表示するため、前記ゴルフクラブが前記ゴルフボールの芯を捉えたか、又は手前の前記マットに接触しダブったかの判別が可能となる。従ってダウンブローショットのスイングイメージ習得の効果が期待できる。
【００１７】
前述の如くゴルフクラブがゴルフボールを捉えた後、第一検知部に接触すれば第一表示体をマット上に押し上げ表示するためダウンブローショットのイメージが把握できそのスイングを続ければ良い。しかし前記ゴルフクラブが第二検知部に接触すれば前記同様の動きで第二表示板体を前記マット上に押し上げ表示するためダブっている状態が判別でき、前記第一検知部に前記ゴルフクラブが接触するよう修正していけばダウンブローショットのスイングイメージの習得が可能となる。
【００１８】
本発明のゴルフ練習器にゴルフボールを接続したバネをマット上に設け、練習者がゴルフクラブで前記バネ付ゴルフボール
をマット上に置きショットすると、バネの限界まで飛んだ前記バネ付ゴルフボールはバネの反発力で元の位置に戻ることで練習者が前記ゴルフボールを手繰り寄せる手間が不要となる。従って本バネ付ゴルフボール練習器は前記ゴルフ練習器と同様の機能を備えているため狭い空間における理想的なスイングイメージ習得の効果が期待できる。
【図面の簡単な説明】
【００１９】
【図１】本発明ゴルフ練習器の実施例を示した平面図
【図２】図１のＡ―Ａ線断面詳細図（実施例１）
【図３】図１のＢ−Ｂ線断面詳細図（実施例１）
【図４】図３の第一検知部にゴルフクラブが接触して第一表示体をマット上に押し上げ表示した時の断面詳細図（実施例１）
【図５】図３をイメージした透視図
【図６】図４をイメージした透視図
【図７】図１のＡ′−Ａ′線断面詳細図（実施例２）
【図８】図１のＢ′−Ｂ′線断面詳細図（実施例２）
【図９】図８の第一検知部にゴルフクラブが接触し、第一表示体をマット上に押し上げ表示した時の断面詳細図（実施例２）
【図１０】図１のＡ′′−Ａ′′線断面詳細図（実施例３）
【図１１】図１のＢ′′−Ｂ′′線断面詳細図（実施例３）
【図１２】図１１の第一検知部にゴルフクラブが接触し、第一表示体をマット上に押し上げ表示した時の断面詳細図（実施例３）
【図１３】ゴルフ練習器の他の実施例であるバネ付ゴルフボールの平面図（実施例４）
【図１４】図１３のＣ−Ｃ線断面図（実施例４）
【図１５】ゴルフボールの断面平行方向中心線並びにゴルフクラブが当たる中心線と同じくゴルフクラブがたどる軌道線（ア）と、ゴルフクラブがダウンブローにゴルフボールを捉えた時（イ）及びゴルフクラブがゴルフボールの手前の芝に接触しダブった時（ウ）のイメージ図
【図１６】ダイヤ（ＤＡＩＹＡ）ナチュラルショットＸＴＲ−４７の姿図
【発明を実施するための形態】
【００２０】
以下、本発明の実施形態を図面に基づいて説明する。図１，１３における１９Ｌ（左）、１９Ｒ（右）は練習者の足の位置を示し、右打ちスイングの練習者の場合を表現している。
【実施例１】
【００２１】
図１、２、３，４に示す如く誘導部材８ａはパイプ状で両隅部が円形の構造体からなり、前記パイプ内の垂直方向に摺動可能な可動体９として複数の棒状体９ａ-1、９ａ-２を挿入、複数の棒状体を９ａ-1、９ａ-２挟んだ前記パイプの水平方向に複数の球体９ｂを数珠つなぎにしたゴルフ練習器を提供する。
【実施例２】
【００２２】
図１、６，７，８に示す如く誘導部材８ｂはパイプ状で両隅部が角形の構造体からなり、前記パイプ内の垂直方向に摺動可能な可動体９として複数の棒状体９ｂ-1、９ｂ-２をＯリングでシールして形成し挿入、前記パイプ内水平方向に液体９ｃを充填したゴルフ練習器を提供する。
【実施例３】
【００２３】
図１、１０，１１，１２に示す如く複数の誘導部材８ｃ-1、８ｃ-２はパイプ状の構造体からなり、前記パイプ内に可動体９として複数の棒状体９ａ-1、９ａ-２を挿入し、棒状体９ａ-1、９ａ-２の中間に設置されたシーソー部材である棒状体９ａ-３を含むゴルフ練習器を提供する。
【実施例４】
【００２４】
この実施例４は実施例の１〜３ゴルフ練習器の機能を備え、図１３，１４に示す如くマット２上にゴルフボール１２を接続したゴルフボール１３練習器を提供する。
【００２５】
本発明のゴルフ練習器（実施例１）を用い練習者がクラブ１１で定位置３に置いたボール１２をショットすると、ボール１２の芯１５を捉えたか、又は手前のマット２に接触しダブったかの判別は、各検知部４，５にクラブ１１が接触するとその圧力で各検知部４，５下方の可動体９で複数の棒状体９ａ-1、９ａ-２と球体９ｂ又は液体９ｃが各表示体６、７側に作動し、第一表示体６又は第二表示体７をマット２上に押し上げ表示することで可能となる。
【００２６】
前記の例として第一検知部４は定位置３からボール１２の飛球方向少し前方に、第二検知部５は定位置３の少し後方にそれぞれ設ける。すなわち図１５（イ）に示した如くクラブ１１がボール１２の芯１５をダウンブローに捉えた時は、第一検知部４にクラブ１１が接触し第一表示体６をマット２上に押し上げ表示することで判別が可能となる。一方クラブ１１が図１５（ウ）に示した如く定位置３手前の第二検知部５に接触すると、クラブ１１がボール１２を芯１５で捉えた時と異なり第二表示体７をマット２上に押し上げ表示することでショットが好ましくなかった判別が可能となる。尚各表示体６，７が表示しなかった時はクラブ１１がマット２に接触せずボール１２の上面を叩く、所謂トップ打ちをしており第二検知部５に接触した状態の時と同様好ましくないショットであったことの判別が可能となる。押し上げられた各表示体６，７をショットの前の状態に戻すには、例えばクラブ１１の先端を角表示体６，７に当てて押さえ込めば良い。
【００２７】
実施例２のゴルフ練習器では、各検知部４，５にクラブ１１が接触するとその圧力で、棒状体９ｂ-２が下方に移動し、液体９ｃ（例えば水又は油状の粘性液体）が水平方向に移動し、棒状体９ｂ-３により第一表示体６又は第二表示体７を押し上げ表示する。
【００２８】
実施例３のゴルフ練習器では、各検知部４，５にクラブ１１が接触するとその圧力で、棒状体９ｃ-1が下方に移動し、シーソー状の棒状体９ｃ-３が反対方向に上がることで棒状体９ｃ-２が上方の第一表示体６又は第二表示体７を押し上げ表示する。
【００２９】
実施例４としてボール１２を接続したバネをマット２上に設け、練習者がクラブ１１でマット２上のバネ付
ボール１３をショットするとバネの限界まで飛んだバネ付ボール１３はバネの反発力で元の位置に戻る。
【００３０】
基台１の平面形状は円形、多角形を、材質はゴム、樹脂、繊維、金属、木材等を用いるのでも良い。誘導部材８ａ，ｂ並びに棒状体９ａ-1、９ａ-２、９ａ-３は円形並びに多角形等を、球体９ｂを含み材質は金属、ゴム、樹脂、繊維等を用いるのでも良い。バネ付きボール１３のバネにゴム、樹脂、繊維等を被覆するのでも良い。可動体９は円錐体、コイルバネ、チエーン、ブレーキワイヤー（車両用）、ギア等を、各表示体６，７は多角形、円板等を用いるのでも良い。
【００３１】
【産業上の利用可能性】
【００３２】
前述の如く本発明のゴルフ練習器を用い、練習者がゴルフクラブでマット上定位置のゴルフボールをショットすると、前記ゴルフクラブが前記ゴルフボールの芯を捉えたか、又は手前の前記マットに接触しダブったかの判別は、第一又は第二表示体を前記マット上に押し上げ表示することで前記ゴルフクラブの軌道を把握することができ、多くのゴルフ愛好者にダウンブロースイング形成の習得効果が期待できる。
【００３３】
本発明のゴルフ練習器にゴルフボールを接続したバネをマット上に設けて構成したバネ付きゴルフボールを練習者が前記マット上に置きゴルフクラブでショットすると、バネの限界まで飛んだ前記バネ付きゴルフボールはバネの反発力で元の位置に戻るため前記ゴルフボールを手繰り寄せる手間が不要となる。従って狭い空間におけるスイング練習が可能となり、前記を含むそれぞれの練習器に目的意識が高まり多くのゴルフ愛好者に理想的なスイング形成の習得効果が期待できる。
【符号の説明】
【００３４】
１  基台
２  マット
３  定位置
４  第一検知部
５  第二検知部
６  第一表示体（ヒンジ付）
７  第二表示体（ヒンジ付）
８  誘導部材(パイプ)ａ，ｂ、ｃ-1、ｃ-２
９  可動体（棒状体ａ-1、ａ-２、ａ-３、球体ｂ、液体ｃ）
１０  支持台
１１  クラブ（ゴルフクラブ）
１２  ボール（ゴルフボール）
１３  バネ付きボール
１４  天然芝・芝ａ、ターフｂ
１５  ボールの芯    
１６  ボールの断面平行方向中心線
１７  ボールにクラブが当たる中心線
１８  クラブがたどる軌道線
１９  練習者の足の位置Ｌ（左）、Ｒ（右）
【図１】
2015208429.tif 000003
【図２】
2015208429.tif 000004
【図３】
2015208429.tif 000005
【図４】
2015208429.tif 000006
【図５】
2015208429.tif 000007
【図６】
2015208429.tif 000008
【図７】
2015208429.tif 000009
【図８】
2015208429.tif 000010
【図９】
2015208429.tif 000011
【図１０】
2015208429.tif 000012
【図１１】
2015208429.tif 000013
【図１２】
2015208429.tif 000014
【図１３】
2015208429.tif 000015
【図１４】
2015208429.tif 000016
【図１５】
2015208429.tif 000017
【図１６】
2015208429.tif 000018